(57)【特許請求の範囲】
【請求項１】
製品と、その製品の保証書とを梱包する保証書同梱方法であって、
前記製品に貼着されている銘板には、予め製造工程において銘板の記載内容である製品特定項目をコード化されたバーコードを有したバーコードラベルが貼り付けられ、前記製品の梱包時に、前記製品に貼着されている銘板の前記バーコードを読取る読取手段で読み取り、読取られた前記バーコードのデータを前記バーコードのままプリント出力する出力手段により保証書ラベルに出力するとともに、前記バーコードのデータを文字データに変換するデータ処理手段により変換し、変換された前記文字データをプリント出力する出力手段により、保証書に出力し、前記保証書ラベルを前記保証書に貼り付け、前記保証書と、前記製品と、を同梱することを特徴とする保証書同梱方法。
【発明の詳細な説明】
【０００１】
【発明の属する技術分野】
本発明は、製品と保証書とを１つの梱包にする保証書同梱方法に属する。
【０００２】
【従来の技術】
従来、機械製品や電気製品などの製品の梱包時、製品の保証書は、製品とは別に準備され、梱包作業者が製品の銘板などに記載されたシリアル番号を目視で読取り、保証書のシリアル番号と照合して、１つの梱包の中に入れることが行われている。
【０００３】
【発明が解決しようとする課題】
しかしながら、従来技術には以下に掲げる問題点があった。
【０００４】
製品番号毎に設定されたバーコードを、予め製品番号毎に発行される保証書に印刷することは、製造工程と梱包作業の流れの中では困難であり、また、作業者が、製品の銘板などに記載された製品番号を読取り、保証書の製品番号に記載するときに、梱包ミスが発生するという問題点があった。
【０００５】
本発明は斯かる問題点を鑑みてなされたものであり、その目的とするところは、製品の銘板に、銘板の内容が印刷されたバーコードラベルを貼り付けておき、製品の梱包時、バーコードラベルの内容を読取り、保証書に印刷することで印刷された保証書と製品とを誤りなく梱包できる保証書同梱方法を提供する点にある。
【０００６】
【課題を解決するための手段】
本発明の要旨は、製品と、その製品の保証書とを梱包する保証書同梱方法であって、
前記製品に貼着されている銘板には、予め製造工程において銘板の記載内容である製品特定項目をコード化されたバーコードを有したバーコードラベルが貼り付けられ、前記製品の梱包時に、前記製品に貼着されている銘板の前記バーコードを読取る読取手段で読み取り、読取られた前記バーコードのデータを前記バーコードのままプリント出力する出力手段により保証書ラベルに出力するとともに、前記バーコードのデータを文字データに変換するデータ処理手段により変換し、変換された前記文字データをプリント出力する出力手段により、保証書に出力し、前記保証書ラベルを前記保証書に貼り付け、前記保証書と、前記製品と、を同梱することを特徴とする保証書同梱方法に存する。
【０００７】
【発明の実施の形態】
以下、本発明の実施の形態を図面に基づいて詳細に説明する。
【０００８】
図１は本実施の形態に係る保証書同梱方法を実行するシステムの構成を示す図である。
【０００９】
図１に示すように、本実施の形態に係る保証書同梱方法を実行するシステムは、バーコードを読取るバーコードリーダ（読取手段）２０と、読取られたバーコードのデータを文字データに変換するデータ処理手段３０と、変換された文字データをプリント出力するプリンタ（出力手段）４０とで概略構成され、製品１０の銘板１５には、予め製造工程において銘板１５の内容がコード化されたバーコードを有する。図中の保証書ラベルＨＬは、プリンタ４０からバーコード出力される。
【００１０】
図２は、図１の銘板１５の一例を示す図である。図２に示すように、製品１０の製造工程において、銘板１５に、製造年月日、モデルナンバー、シリアルナンバー及びスペックなどの製品特定項目ＳＫが記載されるとき、同時に、製品特定項目ＳＫがバーコード化されて印刷されたバーコードラベル１８を貼り付けられる。
【００１１】
図１と図２とを参照して、バーコードラベル１８のバーコード及びバーコードリーダ２０の説明をする。
【００１２】
梱包作業時、梱包作業者の操作によりバーコードリーダ２０は、銘板１５に予め貼り付けられたバーコードラベル１８のバーコードを読込んで、このバーコードのデータをデータ処理手段３０に送る。
【００１３】
データ処理手段３０は、このバーコードのデータを文字データに変換し、バーコードとともにプリンタ４０に送る。
【００１４】
プリンタ４０は、データ処理手段３０から送られたバーコードを保証書ラベルＨＬにプリント出力する。
【００１５】
図３は、図１の保証書ラベルＨＬの利用例を示す図である。図３に示すように、プリンタ４０からバーコードを保証書ラベルＨＬにプリント出力するとき、同時に、データ処理手段３０から送られた製品特定項目ＳＫの文字データを保証書ＨＳに直接プリント出力する。
【００１６】
梱包作業者は、出力された保証書ＨＳに保証書ラベルＨＬを貼り付け、製品１０と一緒に梱包する。
【００１７】
図４は、図１の動作の流れを示すフローチャートである。
【００１８】
図４を参照して、本実施の形態に係る保証書同梱方法の流れを説明する。
【００１９】
製品の製造工程において、製造年月日、モデルナンバー、シリアルナンバー及びスペックなどの製品特定項目ＳＫが記載される銘板１５を作成するとき、この製品特定項目ＳＫのデータをバーコードラベル１８に印刷し、図２に示すように銘板１５に貼り付けておく（図示せず）。
【００２０】
梱包作業者は、製品１０を受け入れる（ステップＳ１）。
【００２１】
製品１０の銘板１５に、バーコードラベル１８が貼り付けられているかどうか判断する（ステップＳ２）。
【００２２】
バーコードラベル１８が貼り付けられている（図中、Ｙｅｓの）場合、バーコードリーダ２０でバーコードラベル１８を読込む（ステップＳ３）。
【００２３】
データ処理手段３０は、バーコードリーダ２０から送られたバーコードラベル１８のデータを文字データに変換し、プリンタ４０から、製品特定項目ＳＫを保証書ＨＳにプリント出力し、同時に、バーコードラベル１８のデータをバーコードのまま保証書ラベルＨＬにプリント出力する（ステップＳ４）。
【００２４】
梱包作業者は、保証書ＨＳに保証書ラベルＨＬを貼り付け、製品と保証書ＨＳとを梱包し（ステップＳ５）、製品１０の梱包作業を終了する。
【００２５】
ステップＳ２において、銘板１５に、バーコードラベル１８が貼り付けられていない（図中、Ｎｏの）場合、梱包作業者は、製品１０の銘板１５を参照して、製品１０と予め準備されている保証書ＨＳとを梱包し（ステップＳ６）、梱包作業を終了する。
【００２６】
実施の形態に係る保証書同梱方法は上記の如く構成されているので、以下に掲げる効果を奏する。
【００２７】
製品１０毎の製品特定項目ＳＫをバーコードラベル１８に印刷して、各々の製品１０の銘板１５に、予め貼り付けておくことで、梱包作業者は、銘板１５のバーコードをバーコードリーダで読込み、このバーコードの内容を保証書ＨＳに印刷し、また、バーコードを保証書ラベルＨＬに印刷して、保証書ＨＳに貼り付けることで、製品１０と保証書ＨＳとがミスマッチすることなく梱包できる。
【００２８】
なお、店頭でこの製品を販売するとき、バーコードが印刷された保証書ラベルＨＬをバーコードリーダで読取り、インターネットなどのネットワークを介して製品１０の流通業者やメーカに保証書ラベルＨＬのデータを送信することで、流通業者やメーカでは、店頭での製品１０の販売状況をリアルタイムに把握することができる。
【００２９】
なお、本実施の形態においては、本発明はそれに限定されず、本発明を適用する上で好適な、保証書同梱方法に適用することができる。
【００３０】
また、上記構成部材の数、位置、形状等は上記実施の形態に限定されず、本発明を実施する上で好適な数、位置、形状等にすることができる。
【００３１】
なお、各図において、同一構成要素には同一符号を付している。
【００３２】
【発明の効果】
本発明は以上のように構成されているので、以下に掲げる効果を奏する。
【００３３】
製品毎のシリアルナンバーなど保証書に記載される事項をバーコードラベルに印刷して、各々の製品の銘板に、予め貼り付けておくことで、梱包作業者は、銘板のバーコードをバーコードリーダで読込み、このバーコードを保証書、又は、保証書に貼り付けるバーコードラベルに出力することで、製品と保証書とがミスマッチすることなく梱包される。
【００３４】
店頭での製品を販売時に、保証書ラベルをバーコードリーダで読取り、インターネットを介して製品の供給者にデータを送信することで、店頭での作業に負担をかけずに供給者は、店頭での製品の販売状況をリアルタイムに把握することができる。
【図面の簡単な説明】
【図１】本発明の実施の形態に係る保証書同梱方法を実行するシステムの構成を示す図である。
【図２】図１の銘板の一例を示す図である。
【図３】図１の保証書ラベルの利用例を示す図である。
【図４】図１の動作の流れを示すフローチャートである。
【符号の説明】
ＨＬ  保証書ラベル
ＨＳ  保証書
ＳＫ  製品特定項目
１０  製品
１５  銘板
１８  バーコードラベル
２０  バーコードリーダ（読取手段）
３０  データ処理手段
４０  プリンタ（出力手段）
【図１】
0004674941.tif 000002
【図２】
0004674941.tif 000003
【図３】
0004674941.tif 000004
【図４】
0004674941.tif 000005